(57)【要約】【課題】ホーニング砥石の往復動作に切込み拡張動作を所定の関係をもって高精度に連動させることにより、ホーニング砥石に加わる負荷を均一化させるホーニング加工技術を提供する。【解決手段】主軸往復駆動部と砥石切込み部の駆動源としてそれぞれサーボモータを使用し、これら両サーボモータの動作を相互に連動させて、ホーニング砥石に掛かる加工負荷が平均化されるように、ホーニング砥石の切込み拡張動作を、ホーニングツールの昇降（往復）動作に同期同調させて制御する。これにより、既存の基本的な機械的装置構成に修正を加えることなく、ホーニング砥石に加わる負荷を可及的に均一化させ、さらにはホーニング加工の精度安定化および精度向上を図れる。【選択図】図６
2010064168.tif 000002
【特許請求の範囲】
【請求項１】
ホーニング砥石を備えるホーニングツールを、工作物の内周面の軸線方向へ往復移動するとともに、軸線まわりに回転させながら、前記ホーニング砥石に機械的駆動手段により一定の切込み量をもって切込み拡張動作を与えて、工作物の内周面をホーニング加工する方法であって、
前記ホーニングツールを備えた回転主軸を工作物の内周面の軸線方向へ往復動作させる主軸往復駆動源および前記ホーニング砥石を切込み拡張動作させる切込み駆動源として、主軸往復駆動用サーボモータおよび切込み駆動用サーボモータをそれぞれ使用し、
これら両サーボモータの動作を相互に連動させて、ホーニング砥石に掛かる加工負荷が平均化されるように、ホーニング砥石の切込み拡張動作を、ホーニングツールの前記往復動作に同期同調させて制御するように構成した
ことを特徴とするホーニング加工方法。
【請求項２】
ホーニング砥石の切込み拡張動作における位置波形を、ホーニングツールの昇降ストローク動作における位置波形に同期同調させるように構成した
ことを特徴とする請求項１に記載のホーニング加工方法。
【請求項３】
前記切込み拡張動作を前記往復動作に同期同調させる制御構成は、前記ホーニングツールの昇降ストローク動作における位置波形と前記ホーニング砥石の切込み拡張動作における位置波形とを予め作成するとともに、前記切込み拡張動作における位置波形を前記昇降ストローク動作における位置波形に同期同調させ、前記主軸往復駆動用サーボモータおよび切込み駆動用サーボモータを、これら昇降ストローク動作における位置波形とホーニング砥石の切込み拡張動作における位置波形でそれぞれ動作するように制御する
ことを特徴とする請求項２に記載のホーニング加工方法。
【請求項４】
前記切込み拡張動作における位置波形と前記昇降ストローク動作における位置波形に対する同期同調は、これら両位置波形における時間的な始点と終点を相互に一致させるとともに、両位置波形における位置変化率を相互に一致させることにより行う
ことを特徴とする請求項３に記載のホーニング加工方法。
【請求項５】
前記ホーニングツールの昇降ストローク動作における位置波形がｓｉｎ波形である
ことを特徴とする請求項１に記載のホーニング加工方法。
【請求項６】
前記ホーニングツールの昇降ストローク波形が三角波形である
ことを特徴とする請求項１に記載のホーニング加工方法。
【請求項７】
ホーニング砥石の切込み拡張量は、ホーニングツールの昇降ストロークの１ストロークでの定量拡張である
ことを特徴とする請求項２に記載のホーニング加工方法。
【請求項８】
ホーニング砥石を備えるホーニングツールを、工作物の内周面の軸線方向へ往復移動するとともに、軸線まわりに回転させながら、前記ホーニング砥石により工作物の内周面をホーニング加工するホーニング盤であって、
工作物の内周面の軸線方向へ往復移動可能とされるとともに、軸線まわりに回転可能に軸支されてなる回転主軸と、
回転主軸を軸線回りに回転駆動する主軸回転手段と、
回転主軸を前記内周面の軸線方向へ往復動作させる主軸往復手段と、
回転主軸先端に装着され、前記内周面に沿った砥石面を有するホーニング砥石を拡縮可能に備えるホーニングツールと、
このホーニングツールのホーニング砥石に所定の切込み拡張動作を与える砥石切込み手段と、
前記主軸回転手段、主軸往復手段および砥石切込み手段の動作を相互に連動して自動制御する制御手段とを備えてなり、
前記主軸往復手段および砥石切込み手段の駆動源が、それぞれ主軸往復用サーボモータおよび砥石切込み用サーボモータからなり、
前記制御手段は、これら両サーボモータの動作を相互に連動させて、ホーニング砥石に掛かる加工負荷が平均化されるように、ホーニング砥石の切込み拡張動作を、ホーニングツールの前記往復動作に同期同調させて制御するように構成されている
ことを特徴とするホーニング盤。
【請求項９】
前記制御手段は、前記主軸回転手段、主軸往復手段および砥石切込み手段の動作を相互に連動して自動制御して、請求項１から７のいずれか一つに記載のホーニング加工方法を実行するように構成されていることを特徴とする請求項８に記載のホーニング盤。
【発明の詳細な説明】
【技術分野】
【０００１】
この発明は、ホーニング加工方法およびホーニング盤に関し、さらに詳細には、ホーニング砥石を、工作物の内周面に対して、機械的に一定の切込み量をもって積極的に切込みながらホーニング加工を行うホーニング加工技術に関する。
【背景技術】
【０００２】
工作物（以下、ワークと称する。）の内周面を鏡面に仕上げる加工法の一つとしてホーニング加工がある。このホーニング加工においては、ホーニング砥石とワークを相対的に浮動の状態におくとともに、ホーニング砥石に回転動作と往復動作を与えて、ばね弾発力等によるホーニング砥石の拡張によりワーク内周面に精密仕上げを行う。
【０００３】
旧来のホーニング加工はホーニング砥石を一定圧力（ばね弾発力）でワークに押し付けて、ワーク内周面を少しずつ削り取るものであったが、近時は、研削加工の場合と同様、高い圧力または強制切込みによるホーニング加工を行うホーニング盤が種々開発され、現在主流となっている。
【０００４】
この種のホーニング盤には、ホーニング砥石を油圧駆動手段等により一定の加圧力をもって切込み拡張動作させる定圧加工方式のものと、ホーニング砥石を機械的駆動手段により一定の切込み量をもって切込み拡張動作させる強制切込み（定量）加工方式のものとがあるが、いずれの形式のホーニング盤にあっても、ボール盤や中ぐり盤による前加工から、研削加工等を省略していきなりホーニング加工に移る、つまり旧来の研削加工とホーニング加工を複合的に行う加工法をとることもできるようになり、効率の良い精密仕上げの実現が可能となった。
【０００５】
ところで、強制切込み（定量）加工方式のホーニング加工においては、上述したように、回転するホーニング砥石をワークの軸線方向に往復動作させながら、機械的駆動手段により、このホーニング砥石を切込み加工当初から加工終了まで一定の切込み量をもって連続的に切込み拡張動作させるところ、従来の加工サイクルにおけるホーニング砥石の往復動作（昇降ストローク動作）と切込み拡張動作の相互の制御は、理論上、ホーニング砥石の往復動作に対して、ホーニング砥石の切込み拡張動作が、下降ストローク時に一定の速度をもって切り込まれ、上昇ストローク時には切込みが停止するという階段状の切込み拡張動作をするように構成されている（例えば特許文献１参照）。
【０００６】
しかしながら、このような理論上の制御構成に対して、実際には、図８に示すように、ホーニング砥石の往復動作と切込み拡張動作が正確には同期しておらず（非同期）、相互に独立した動きをしている（図８において、破線の波形がホーニング砥石の昇降ストローク動作における位置波形を示し、実線の波形がホーニング砥石の切込み拡張動作における位置波形を示す。）。すなわち、理論上は、ホーニング砥石の往復動作の１ストローク毎に、一回のホーニング砥石の拡張指令が入る（図８の場合はホーニング砥石の下降ストロークにおける中間位置で拡張指令が入る）という切込み拡張動作制御が行われているが、実際には、このホーニング砥石の拡張指令が入ったとしても、構造上必然的に、ホーニング砥石の動作遅れ（タイムラグ）が発生してしまい、ホーニング砥石が上記１ストロークのどの位置でどのように拡張（切込み）しているのかは具体的に解明されていなかった。
【０００７】
そして、このような従来の砥石切込み制御においては、ホーニング砥石の往復動作に対するホーニング砥石の切込み拡張動作（切込みタイミング、切込み速度および切込み量）によって、ホーニング砥石の切込み拡張時にホーニング砥石に急激な負荷がかかったりするなど、ホーニング砥石に加わる負荷が安定せずに大きく変動し、ホーニング砥石の砥粒の過度の脱落を招くなど、ホーニング砥石にとって必ずしも理想的な状態ではなく、ホーニング加工の精度安定化ひいては精度向上の観点からも改良の余地があった。
【０００８】
【特許文献１】特開２００３−１７０３４４号公報
【発明の開示】
【発明が解決しようとする課題】
【０００９】
本発明は、かかる従来の問題点に鑑みてなされたものであって、その目的とするところは、強制切込み（定量）加工方式のホーニング加工において、ホーニング砥石の往復動作に切込み拡張動作を所定の関係をもって高精度に連動させることにより、ホーニング砥石に加わる負荷を可及的に均一化させ、さらにはホーニング加工の精度安定化および精度向上が可能なホーニング加工技術を提供することにある。
【課題を解決するための手段】
【００１０】
上記目的を達成するため、本発明のホーニング加工方法は、ホーニング砥石を備えるホーニングツールを、工作物の内周面の軸線方向へ往復移動するとともに、軸線まわりに回転させながら、上記ホーニング砥石に機械的駆動手段により一定の切込み量をもって切込み拡張動作を与えて、工作物の内周面をホーニング加工する方法であって、上記ホーニングツールを備えた回転主軸を工作物の内周面の軸線方向へ往復動作させる主軸往復駆動源および上記ホーニング砥石を切込み拡張動作させる切込み駆動源として、主軸往復駆動用サーボモータおよび切込み駆動用サーボモータをそれぞれ使用し、これら両サーボモータの動作を相互に連動させて、ホーニング砥石に掛かる加工負荷が平均化されるように、ホーニング砥石の切込み拡張動作を、ホーニングツールの上記往復動作に同期同調させて制御するように構成したことを特徴とする。
【００１１】
好適な実施態様として、以下の構成が採用される。
（１）ホーニング砥石の切込み拡張動作における位置波形を、ホーニングツールの昇降ストローク動作における位置波形に同期同調させるように構成する。
【００１２】
（２）上記切込み拡張動作を前記往復動作に同期同調させる制御構成は、上記ホーニングツールの昇降ストローク動作における位置波形と上記ホーニング砥石の切込み拡張動作における位置波形とを予め作成するとともに、上記切込み拡張動作における位置波形を上記昇降ストローク動作における位置波形に同期同調させ、上記主軸往復駆動用サーボモータおよび切込み駆動用サーボモータを、これら昇降ストローク動作における位置波形とホーニング砥石の切込み拡張動作における位置波形でそれぞれ動作するように制御する。
【００１３】
（３）上記切込み拡張動作における位置波形と上記昇降ストローク動作における位置波形に対する同期同調は、これら両位置波形における時間的な始点と終点を相互に一致させるとともに、両位置波形における位置変化率を相互に一致させることにより行う。
【００１４】
（４）上記ホーニングツールの昇降ストローク動作における位置波形がｓｉｎ波形である。
【００１５】
（５）上記ホーニングツールの昇降ストローク動作における位置波形が三角波形である。ここに、三角波形とは、ホーニングツールのストローク速度が等速となる昇降ストローク動作における位置波形をいう（本明細書全体を通じて同様とする。）。
【００１６】
（６）ホーニング砥石の切込み拡張量は、ホーニングツールの昇降ストロークの１ストロークでの定量拡張である。
【００１７】
また、本発明のホーニング盤は、ホーニング砥石を備えるホーニングツールを、工作物の内周面の軸線方向へ往復移動するとともに、軸線まわりに回転させながら、上記ホーニング砥石により工作物の内周面をホーニング加工するホーニング盤であって、工作物の内周面の軸線方向へ往復移動可能とされるとともに、軸線まわりに回転可能に軸支されてなる回転主軸と、回転主軸を軸線回りに回転駆動する主軸回転手段と、回転主軸を上記内周面の軸線方向へ往復動作させる主軸往復手段と、回転主軸先端に装着され、上記内周面に沿った砥石面を有するホーニング砥石を拡縮可能に備えるホーニングツールと、このホーニングツールのホーニング砥石に所定の切込み拡張動作を与える砥石切込み手段と、上記主軸回転手段、主軸往復手段および砥石切込み手段の動作を相互に連動して自動制御する制御手段とを備えてなり、上記主軸往復手段および砥石切込み手段の駆動源が、それぞれ主軸往復用サーボモータおよび砥石切込み用サーボモータからなり、上記制御手段は、これら両サーボモータの動作を相互に連動させて、ホーニング砥石に掛かる加工負荷が平均化されるように、ホーニング砥石の切込み拡張動作を、ホーニングツールの上記往復動作に同期同調させて制御するように構成されていることを特徴とする。
【００１８】
好適な実施態様として、上記制御手段は、上記主軸回転手段、主軸往復手段および砥石切込み手段の動作を相互に連動して自動制御して、上述のホーニング加工方法を実行するように構成される。
【発明の効果】
【００１９】
本発明によれば、ホーニングツールを備えた回転主軸を工作物の内周面の軸線方向へ往復動作させる主軸往復駆動源と上記ホーニングツールのホーニング砥石を切込み拡張動作させる切込み駆動源として、主軸往復駆動用サーボモータおよび切込み駆動用サーボモータをそれぞれ使用し、これら両サーボモータの動作を相互に連動させて、ホーニング砥石に掛かる加工負荷が平均化されるように、ホーニング砥石の切込み拡張動作を、ホーニングツールの上記往復動作に同期同調させて制御するように構成したから、以下に列挙するような効果が得られ、強制切込み（定量）加工方式のホーニング加工において、既存の基本的な機械的装置構成に修正を加えることなく（センサ等の追加の機構を追加等する必要なし）、ホーニング砥石の往復動作に切込み拡張動作を所定の関係をもって高精度に連動させて、ホーニング砥石に加わる負荷を可及的に均一化させ、さらにはホーニング加工の精度安定化および精度向上が可能なホーニング加工技術を提供することができる。
【００２０】
（１）ホーニング砥石の長寿命化：
本発明によれば、主軸往復駆動用サーボモータおよび切込み駆動用サーボモータの動作を相互に連動させて、ホーニング砥石に掛かる加工負荷が平均化されるように、ホーニング砥石の切込み拡張動作を、ホーニングツールの上記往復動作に同期同調させて制御するように構成したから、ホーニング砥石の切込み拡張時にホーニング砥石に急激な負荷がかかったりすることがなく、ホーニング砥石に優しい切込み拡張動作が実現する。
【００２１】
具体的には、例えば、ホーニング砥石の切込み拡張量を、ホーニングツールの昇降ストロークの１ストロークで固定的に設定することによる定量拡張が可能で、しかも、ホーニングツールのストローク速度に応じたホーニング砥石の切込み拡張が行えるため、ホーニング砥石に急激な負荷がかからない。これにより、ホーニング砥石の砥粒の脱落を抑えて、ホーニング砥石の可及的な寿命延長が可能で、ホーニング砥石の長寿命化が図れる。
【００２２】
（２）精度安定：
上記のように、ホーニング砥石の切込み拡張時にホーニング砥石に急激な負荷がかかったりすることがない結果、ホーニング砥石に加わる負荷が変動することなく均一化して、ホーニング加工の精度安定化および精度向上が図れる。
【００２３】
（３）穴形状コントロール：
また、ホーニング砥石の切込み拡張動作を、ホーニングツールの上記往復動作に同期同調させて制御する構成により、ホーニングツールの往復ストローク位置に応じて任意の位置でホーニング砥石の切込み拡張を行える結果、ワークの加工穴形状を所望のとおりコントロールすることが可能となる。
【００２４】
（４）穴形状修正：
さらに、上記のとおりワークの加工穴形状をコントロールできる結果、ワークの加工穴形状の修正も適宜行うことが可能となる。
【発明を実施するための最良の形態】
【００２５】
以下、本発明の実施形態を図面に基づいて詳細に説明する。
【００２６】
実施形態１
本発明に係るホーニング盤を図１に示し、このホーニング盤は、具体的にはワークＷの円筒状の加工穴の内周面Ｗａを加工する立形のもので、先端にホーニングツール１を備える回転主軸２、主軸回転駆動部（主軸回転手段）３、主軸往復駆動部（主軸往復手段）４、砥石切込み部（砥石切込み手段）５および装置制御部（制御手段）６などを主要部として備えてなる。
【００２７】
ホーニングツール（いわゆるホーニングヘッド）１は、回転主軸２の先端つまり下端２ａに交換可能に装着されている。
【００２８】
このホーニングツール１の内部には、図２に示すように、径方向へ拡縮可能に配された複数のホーニング砥石１０、１０、…、これらホーニング砥石１０、１０、…を拡張動作させるコーンロッド１１およびホーニング砥石１０、１０、…を復帰動作させる復帰ばね（図示省略）等を備える。
【００２９】
各ホーニング砥石１０は、ワークＷの内周面Ｗａに沿った砥石面１０ａを有する。また、コーンロッド１１は、上記ホーニングツール１内において上下方向へ移動可能に設けられており、その先端ウェッジ１１ａが各ホーニング砥石１０の砥石台１０ｂを押圧する砥石拡張部とされるとともに、その上部である基部ロッド１１ｂが、後述する砥石拡張ロッド３５に連結されている。また、図示しないが、ホーニング砥石１０、１０、…は上記復帰ばねにより常時縮閉方向へ弾発的に付勢されている。
【００３０】
そして、上記ホーニング砥石１０、１０、…は、上記コーンロッド１１の下動に伴って拡開動作される一方、コーンロッド１１の上動に伴って上記復帰ばねにより縮閉動作されることとなる。
【００３１】
回転主軸２は、その下端にホーニングツール１を備えるとともに、主軸駆動軸１５、動力伝達部２５ａ〜２５ｃおよび駆動モータ１６等を含む上記主軸回転駆動部３と、スライド本体１８、送りネジ機構１９、駆動モータ２０等を含む上記主軸往復駆動部４とにそれぞれ連係されている。
【００３２】
すなわち、回転主軸２はスライド本体１８に回転可能に軸支されており、このスライド本体１８は、案内レール２２により昇降案内されるとともに、昇降駆動源である上記送りネジ機構１９および駆動モータ２０に駆動連結されて、上記主軸往復駆動部４が構成されている。
【００３３】
上記案内レール２２は、機体２１上に上下方向へ直線状に延びて設けられ、この案内レール２２に上記スライド本体１８の摺動部１８ａが摺動案内可能に支持されている。また、スライド本体１８の摺動部１８ａには、送りネジ機構１９のナット体１９ａが一体的に連結固定され、このナット体１９ａが、機体２１に垂直上下方向へ延びるとともに回転可能に軸支された送りネジ１９ｂに上下方向へ螺進退可能に螺合されている。送りネジ１９ｂは、その上端部がカップリング２３を介して上記駆動モータ２０のモータ軸２０ａに駆動連結されている。この駆動モータ２０としては、ロータリエンコーダ等の位置検出センサ７３が一体的に内蔵されてなるサーボモータが使用されており、上記位置検出センサ７３により駆動モータ２０の回転量が検出される。
【００３４】
そして、この駆動モータ２０のモータ軸２０ａが回転駆動することにより、ボールねじ機構１９の送りネジ１９ｂが回転されて、ナット体２１ｂと一体のスライド本体１８が上下方向へ移動され、このスライド本体１８を介して、回転主軸２つまりはホーニングツール１が昇降動作されることとなる。また、このホーニングツール１の昇降動作は、駆動モータ２０に内蔵された上記位置検出センサ７３により検出されて、その検出結果が後述する装置制御部６の主軸往復制御部７１に送られる。
【００３５】
また、回転主軸２の上端部２ｂは上記主軸回転駆動部３に駆動連結されている。すなわち、回転主軸２の上端部２ｂは、機体２１のヘッド部２１ａに回転可能に設けられた主軸駆動軸１５にスプライン嵌合されて、この主軸駆動軸１５に対して、上下方向（軸線方向）へ相対的に移動可能でかつ一体回転可能に連結されている。
【００３６】
具体的には、回転主軸２の上端部２ｂが、ロータリスプライン装置２４により、機体２１のヘッド部２１ａに上下方向へ摺動可能に軸支されるとともに、上記主軸駆動軸１５に同軸上にかつ一体回転可能に接続されている。
【００３７】
主軸駆動軸１５には伝動プーリ２５ａが取り付けられ、この伝動プーリ２５ａが、伝動ベルト２５ｂを介して、駆動モータ１６のモータ軸１６ａに取り付けられた伝動プーリ２５ｃに連結されている。この駆動モータ１６としては、ロータリエンコーダ等の位置検出センサ６３が一体的に内蔵されてなるサーボモータが使用されており、上記位置検出センサ６３により駆動モータ１６の回転量が検出され、これにより、上記ホーニングツール１の回転動作が検出される。
【００３８】
そして、この駆動モータ１６の回転駆動により、主軸駆動軸１５を介して、回転主軸２つまりはホーニングツール１が回転駆動されることとなる。また、このホーニングツール１の回転動作は、駆動モータ１６に内蔵された上記位置検出センサ６３により検出されて、その検出結果が後述する装置制御部６の主軸回転制御部６１に送られる。
【００３９】
砥石切込み部５は、上記ホーニング砥石１０、１０、…に切込み動作を与えるもので、図１および図３に示すように、砥石切込み駆動部（切込み駆動手段）３０および砥石切込み制御部（切込み制御手段）６２を主要部として備えてなる。
【００４０】
砥石切込み駆動部３０は、ホーニング砥石１０、１０、…に所定の切込み量をもった切込み動作を機械的に与えるもので、具体的には、上記ホーニングツール１のコーンロッド１１（図２）、砥石拡張ロッド３５（図２）、切り込み駆動機構３６および駆動モータ３７等を備える。
【００４１】
砥石拡張ロッド３５は、具体的には図示しないが、回転主軸２の下半部に設けられた軸穴内において、その軸線方向（上下方向）へ移動可能に設けられており、その下端部３５ａが上記コーンロッド１１の基部ロッド１１ｂに連結されるとともに（図２参照）、その上端部（図示省略）が切込み駆動機構３６に連結されている。
【００４２】
この切込み駆動機構３６は、砥石拡張ロッド３５を上下方向（軸線方向）へ移動させるもので、従来公知のように、砥石拡張ロッド３５に連結された従動体４０およびこの従動体４０を上下動させる駆動ねじ軸部材４１を主要部として構成されている。
【００４３】
従動体４０は、回転主軸２に対して、相対的に上下方向へ摺動可能に設けられるとともに、この回転主軸２内に配された上記砥石拡張ロッド３５に対して、上下方向へ一体的に連結されている。
【００４４】
また、従動体４０は、これに一体固定された雌ねじ部材（図示省略）を介して、上記駆動ねじ軸部材４１に上下方向へ螺進退可能に係合されている。この駆動ねじ軸部材４１は、スライド本体１８に、回転主軸２と平行にかつ回転可能に軸支される。
【００４５】
駆動ねじ軸部材４１は、機体２１のヘッド部２１ａに回転可能に設けられた切込み駆動軸４２に連係されている。具体的には、この切込み駆動軸４２は、駆動ねじ軸部材４１と平行に軸支されるとともに、その上端部４２ａが、機体２１のヘッド部２１ａに回転可能に設けられた歯車機構４３の回転歯車軸４３ａにスプライン嵌合されて、この回転歯車軸４３ａに対して、上下方向へ相対的に移動可能でかつ一体回転可能に連結されている。
【００４６】
具体的には、切込み駆動軸４２の上端部４２ａが、ロータリスプライン装置４４により、機体２１のヘッド部２１ａに上下方向へ摺動可能に軸支されるとともに、上記回転歯車軸４３ａに同軸上にかつ一体回転可能に接続されている。この回転歯車軸４３ａは、歯車４３ｂと噛合し、この歯車４３ｂが駆動モータ３７のモータ軸３７ａに一体的に取付け固定されている。一方、切込み駆動軸４２は、歯車機構４４を介して上記駆動ねじ軸部材４１の上端部４１ａに駆動連結されている。
【００４７】
駆動モータ３７は、ロータリエンコーダ等の位置検出センサ６４が一体的に内蔵されてなるサーボモータが使用されており、上記位置検出センサ６４により駆動モータ３７の回転量が検出され、これにより、上記ホーニングツール１のホーニング砥石１０、１０、…の切込み拡張動作が検出される。
【００４８】
そして、この駆動モータ３７のモータ軸３７ａの回転駆動により、切込み駆動軸４２が回転すると、駆動ねじ軸部材４１が回動されて、これに螺進退可能に螺合された従動体４０が、回転主軸２に対して相対的に下動または上動されることとなる。つまり、従動体４０の下動時は、これと一体の砥石拡張ロッド３５がコーンロッド１１を下方へ押動して、ホーニング砥石１０、１０、…が拡張動作される。一方、従動体４０の上動時は、砥石拡張ロッド３５の上動に伴って、ホーニングツール１内の復帰ばね（図示省略）によりホーニング砥石１０、１０、…が縮閉動作される。また、ホーニング砥石１０、１０、…の切込み拡張動作は、駆動モータ２０に内蔵された上記位置検出センサ６４により検出されて、その検出結果が後述する装置制御部６の砥石切込み制御部６２に送られる。
【００４９】
装置制御部６は、ホーニング盤の各駆動部３、４、５の動作を相互に連動して自動制御するもので、具体的には、ＣＰＵ、ＲＯＭ、ＲＡＭおよびＩ／Ｏポートなどからなるマイクロコンピュータを主要部として構成されている。
【００５０】
この装置制御部６には、ホーニング加工を実行させるための加工プログラム等が組み込まれており、図３に示すように、主制御部７０、主軸回転駆動部３の駆動源である駆動モータ１６を制御する主軸回転制御部６１、主軸往復駆動部４の駆動源である駆動モータ（主軸往復駆動用サーボモータ）２０を制御する主軸往復制御部７１および砥石切込み部５の駆動源である駆動モータ（砥石切り込み用サーボモータ）３７を制御する砥石切込み制御部６２などから構成されている。
【００５１】
主制御部７０には、上記各駆動部３、４、５の駆動源１６、２０、３７の駆動に必要な種々の情報、例えば、ホーニングツール１の回転速度および昇降速度、あるいは、ホーニング砥石１０、１０、…の基準位置（ストローク位置）Ｐ1、Ｐ2およびストローク幅Ｓ（図２参照）、または切込み速度および切込みタイミング等が、ＮＣ（数値制御）データとして予めまたは操作盤のキーボード等により適宜選択的に入力設定されており、これらのデータに従って上記各制御部６１、６２、７１を制御する。
【００５２】
上記主軸回転制御部６１、主軸往復制御部７１および砥石切込み制御部６２は、具体的には、図４に示すように、演算部８０とモータ駆動部８１とから構成されたサーボアンプであり、それぞれ、駆動モータ１６、２０、３７のモータ軸１６ａ、２０ａ、３７ａの回転数を検出するロータリエンコーダ等の位置検出センサ６３、７３、６４からの検出信号が上記演算部８０にフィードバック入力されて、この演算部８０が、上記入力された検出値（回転数）を主制御部７０からの指令値（回転数）と比較演算して、その演算結果に基づき、これら検出値と指令値を一致させるべく上記駆動モータ１６、１９、３７に検出値と指令値の誤差に比例した電力を供給する。
【００５３】
特に、上記主軸往復制御部７１および砥石切込み制御部６２は、主制御部７０からの指令に従って、駆動モータ２０および３７の動作を相互に連動させることにより、ホーニング砥石１０、１０、…に掛かる加工負荷が平均化されるように、ホーニング砥石１０、１０、…の切込み拡張動作を、ホーニングツール１の上記往復動作に同期同調させて制御するように構成されている。
【００５４】
すなわち、主制御部７０からの指令に従って、上記砥石切込み制御部６２が、ホーニング砥石１０、１０、…に掛かる加工負荷が平均化されるように、上記砥石切込み駆動部（切込み駆動手段）３０の砥石切込み用サーボモータ３７を制御するように構成されている。
【００５５】
具体的には、ホーニング砥石１０、１０、…の切込み拡張動作における位置波形がホーニングツール１の昇降ストローク動作における位置波形に同期同調するように制御されて、ホーニング砥石１０、１０、…の切込み拡張速度が、ホーニングツール１の昇降ストローク速度に比例するように構成されている。
【００５６】
このように、上記両位置波形を同期同調させることにより、ホーニングツール１とホーニング砥石１０、１０、…の高精度な位置決め制御を行いながら、ホーニング砥石１０、１０、…の切込み拡張速度を、ホーニングツール１の昇降ストローク速度に同調させることが可能となる。
【００５７】
ここに、ホーニング砥石１０、１０、…の切込み拡張動作における位置波形がホーニングツール１の昇降ストローク動作における位置波形に同期同調するとは、以下のように定義される。
【００５８】
図５を参照して、ホーニングツール１の昇降ストローク動作の位置波形における上端位置Ｐ1から下端位置Ｐ2（図２参照）、または下端位置Ｐ2から上端位置Ｐ1までの位置変化量（ホーニングツール１の軸線方向の変化量）つまり１ストロークあたりのストローク幅Ｓ（図２参照）と、そのストローク時間ｔ（図５（ａ）参照）、および、ホーニング砥石１０、１０、…の切込み拡張動作の位置波形における上記ストローク時間ｔ当たりの位置変化量つまり砥石拡張量Ｄ（ホーニングツール１の径方向の変化量）（図５（ｂ）参照）は、その加工対象となるワークＷの材質・設計条件等に応じた加工条件によって決まる。
【００５９】
この時、上記両位置波形について、ストローク時間ｔにおける位置変化量ＳおよびＤの位置変化率が同じであることが「同調する」と定義され、また、その両位置波形の１ストロークにおける時間的な始点ｔ1と終点ｔ2が相互に同じであることが「同期する」と定義される。この場合、上記位置変化量Ｓ、Ｄは＋、−逆でも、位置変化率が同じであれば「同調する」とする。
【００６０】
図示の実施形態においては、図６に示すように、ホーニングツール１の昇降ストローク動作における位置波形がｓｉｎ波形（図６における破線の波形）とされるとともに、ホーニング砥石１０、１０、…の切込み拡張動作における位置波形がこのｓｉｎ波形と同じｓｉｎ波形（図６における実線の波形）とされて、ホーニング砥石１０、１０、…における拡張タイミングと拡張速度がホーニングツール１の昇降ストローク動作に同期同調されている。つまり、図６に示すように、ホーニング砥石１０、１０、…の切込み拡張量がホーニンツール１の昇降（往復）動作１ストローク当たり一定の定量拡張とされるとともに、ホーニングツール１の昇降ストローク速度が０の時に、ホーニング砥石１０、１０、…の切込み拡張速度も０であり、ホーニングツール１の昇降ストローク速度が最大の時に、ホーニング砥石１０、１０、…の切込み拡張速度も最大となるように構成されている。
【００６１】
上記ホーニング砥石１０、１０、…の切込み拡張動作をホーニングツール１の往復動作に同期同調させる具体的な制御構成は、上記ホーニングツール１の昇降ストローク動作における位置波形と上記ホーニング砥石１０、１０、…の切込み拡張動作における位置波形とを予め作成するとともに、上記切込み拡張動作における位置波形を上記昇降ストローク動作における位置波形に同期同調させ、上記主軸往復駆動部４の主軸往復駆動用サーボモータ２０および上記砥石切込み駆動部３０の砥石切込み用サーボモータ３７を、これら昇降ストローク動作における位置波形とホーニング砥石の切込み拡張動作における位置波形でそれぞれ動作するように制御する。
【００６２】
換言すれば、ホーニングツール１の昇降ストローク動作における位置波形（昇降ストローク軸（図示の場合は送りねじ機構１９）の動作位置波形）とホーニング砥石１０、１０、…の切込み拡張動作における位置波形（砥石拡張ロッド３５の動作位置波形）とを予め作成し、送りねじ機構１９（主軸往復駆動用サーボモータ２０）と砥石拡張ロッド３５（砥石切り込み用サーボモータ３７）がこれら位置波形でそれぞれ動くように制御される。この場合、昇降ストロークに対しては、ストローク幅Ｓが条件設定され得るので、そのストローク幅Ｓに対して、上記昇降ストローク動作における位置波形（図示の実施形態においてはｓｉｎ波）で動きなさいという指令が出ることになる。一方、切込み拡張に対して、ホーニングツール１の１ストローク当たりの拡張量が固定的に条件設定され得るので（加工サイクルタイムのばらつきが防止され得る）、その拡張量に対して上記切込み拡張動作における位置波形（図示の実施形態においてはｓｉｎ波）で動きなさいという指令が出されることになる。そして、このような動作位置波形において、上記切込み拡張動作における位置波形を上記昇降ストローク動作における位置波形に同期同調させる構成とされている。
【００６３】
この場合の上記切込み拡張動作における位置波形と上記昇降ストローク動作における位置波形に対する同期同調は、これら両位置波形における時間的な始点と終点を相互に一致させるとともに、両位置波形における位置変化率を相互に一致させることにより行う。
【００６４】
このように、ホーニングツール１の昇降ストローク動作における位置波形とホーニング砥石１０、１０、…の切込み拡張動作における位置波形を予め作成するとともに、両位置波形を同期同調させ、これら両位置波形に、ホーニングツール１のストローク動作とホーニング砥石１０、１０、…の切込み拡張動作がそれぞれ同時に追従制御されることで、両者の動きを完全に同期同調させて、両動作間にタイムラグが生ずるのを有効に防止することができる。
【００６５】
また、ホーニング砥石１０、１０、…を、ホーニングツール１の昇降ストロークの速度変化と同じｓｉｎ波形、同じタイミングで切込み拡張させることで（つまり、同期同調させることで）、ホーニング砥石１０、１０、…とワークＷの加工穴の内周面Ｗａとの接触面の圧力、つまり１ストローク当たりのホーニング砥石１０、１０、…に加わる負荷が分散されて平均化され得る。
【００６６】
ちなみに、例えば図８示す従来の加工サイクルにおいては、ホーニングツール１の昇降ストローク動作に対して、この昇降ストローク動作を監視し、その速度変化等に応じてホーニング砥石１０、１０、…が階段状の切込み拡張動作（ホーニングツール１の昇降ストローク動作1ストロークで1回の切込み拡張動作）を行うように構成されているが、ホーニングツール１の昇降（往復）動作と正確に同期同調しておらず、タイムラグを生じてしまい、例えば、ホーニングツール１の昇降ストローク速度が０の時に、ホーニング砥石１０、１０、…の切込み拡張速度が最大となり、この時、ホーニング砥石１０、１０、…とワークＷの加工穴の内周面Ｗａとの接触面の圧力が瞬間的に大きくなることが試験的に判明した。
【００６７】
さらに、本実施形態においては、主軸往復駆動部４および砥石切込み部５の駆動源としてサーボモータ２０、３７が使用されていることにより、ホーニングツール１の昇降ストロークにおける１ストローク当たりの時間を多数の区分に分割（例えば、図示の実施形態の場合、２０４８の区分に分割）して、ホーニングツール１の昇降ストローク位置とホーニング砥石１０、１０、…の砥石拡張位置を、この多数の区分に分割した各時点毎に相互に位置決めさせることで、ホーニング砥石１０、１０、…の滑らかな拡張さらにはホーニング砥石１０、１０、…に優しい拡張を実現している。つまり、例えば図８示す従来の加工サイクルと比較すると、この従来の加工サイクルでは、ホーニングツール１の昇降ストローク動作1ストロークで1回の切込み拡張動作であるが、本実施形態においては、ホーニングツール１の昇降ストローク動作1ストロークにおいて２０４８回に分散して切込み拡張動作させることで、ホーニング砥石１０、１０、…切込時の砥石にかかる圧力を有効に分散させている。
【００６８】
例えば、図示の実施形態の場合、ストローク幅Ｓが５０ｍｍ、ストローク速度１５ｍ／ｍｉｎとすることで、昇降ストローク１往復の時間は０．４秒となるところ、この０．４秒を２０４８区分に分割して制御することになる。
【００６９】
しかして、以上のように構成されたホーニング盤において、上記主軸回転駆動部３、主軸往復駆動部４および砥石切込み部５は、その動作が上記装置制御部６により、相互に連動して自動制御され、これにより、ホーニングツール１が、ワーク保持治具８に支持されたワークＷの内周面Ｗａに対して、ホーニング領域全体（つまり図２におけるストローク幅Ｓ）にわたって所定の切込み拡張量をもった均一なホーニング加工工程（ホーニング加工方法）が行われる。
【００７０】
すなわち、ホーニングツール１が、主軸回転駆動部３によりワークＷの内周面Ｗａの軸線まわりに回転するとともに、主軸往復駆動部４によりワークＷの内周面Ｗａの軸線方向へ往復移動しながら、砥石切込み部５によりホーニング砥石１０、１０、…が一定の切込み量をもって切込み拡張動作を与えられて、ワークＷの内周面Ｗａがホーニング加工される。
【００７１】
この際、ホーニング砥石ホーニング砥石１０、１０、…の切込み拡張動作は、駆動モータ２０および３７の動作を相互に連動させることにより、ホーニング砥石１０、１０、…に掛かる加工負荷が平均化されるように、ホーニングツール１の昇降（往復）動作に同期同調させて制御される（図５参照）。
【００７２】
以上のように、本実施形態のホーニング加工方法によれば、主軸往復駆動部４の駆動モータ２０と砥石切込み部（砥石切込み手段）５の駆動モータ３７として、主軸往復駆動用サーボモータおよび切込み駆動用サーボモータをそれぞれ使用し、これら両サーボモータの動作を相互に連動させて、ホーニング砥石１０、１０、…に掛かる加工負荷が平均化されるように、ホーニング砥石１０、１０、…の切込み拡張動作を、ホーニングツール１の昇降（往復）動作に同期同調させて制御するように構成したから、以下に列挙するような効果が得られ、この種の強制切込み（定量）加工方式のホーニング加工において、既存の基本的な機械的装置構成に修正を加えることなく、ホーニング砥石１０、１０、…の往復動作に切込み拡張動作を所定の関係をもって高精度に連動させて、ホーニング砥石１０、１０、…に加わる負荷を可及的に均一化させ、さらにはホーニング加工の精度安定化および精度向上が可能なホーニング加工技術を提供することができる。
【００７３】
（ａ）ホーニング砥石１０、１０、…の長寿命化：
本実施形態においては、主軸往復駆動用サーボモータ２０および切込み駆動用サーボモータ３７の動作を相互に連動させて、ホーニング砥石１０、１０、…に掛かる加工負荷が平均化されるように、ホーニング砥石１０、１０、…の切込み拡張動作を、ホーニングツール１の昇降（往復）動作に同期同調させて制御するように構成したから、ホーニング砥石１０、１０、…の切込み拡張時にホーニング砥石１０、１０、…に急激な負荷がかかったりすることがなく、ホーニング砥石に優しい切込み拡張動作が実現する。
【００７４】
具体的には、ホーニング砥石１０、１０、…の切込み拡張量を、ホーニングツール１の昇降ストロークの１ストロークで固定的に設定することによる定量拡張が可能で、しかも、ホーニングツール１のストローク速度に応じたホーニング砥石１０、１０、…の切込み拡張が行えるため、ホーニング砥石１０、１０、…に急激な負荷がかからない。これにより、ホーニング砥石１０、１０、…の砥粒の脱落を抑えて、ホーニング砥石１０、１０、…の可及的な寿命延長が可能で、ホーニング砥石１０、１０、…の長寿命化が図れる。
【００７５】
換言すれば、ホーニングツール１のストロークの速度が速いということは、単位時間当たりにホーニング砥石１０、１０、…がワークＷを削る距離が長いということになるので、単位時間当たりのホーニング砥石１０、１０、…砥石の脱落は激しいということになる。本実施形態においては、そのホーニング砥石１０、１０、…砥石の脱落が激しい場所で拡張速度を上げ、逆に、ホーニング砥石１０、１０、…の脱落が少ない場所で拡張速度を下げることで、ホーニング砥石１０、１０、…にかかる圧力負荷を適切かつ有効に分散し平均化させている。
【００７６】
（ｂ）精度安定：
上記のように、ホーニング砥石１０、１０、…の切込み拡張時にホーニング砥石１０、１０、…に急激な負荷がかかったりすることがない結果、ホーニング砥石１０、１０、…に加わる負荷が変動することなく均一化して、ホーニング加工の精度安定化および精度向上が図れる。
【００７７】
（ｃ）穴形状コントロール：
また、ホーニング砥石１０、１０、…の切込み拡張動作を、ホーニングツール１の昇降（往復）動作に同期同調させて制御する構成により、ホーニングツール１の昇降（往復）ストローク位置に応じて任意の位置でホーニング砥石１０、１０、…の切込み拡張を行える結果、ワークＷの加工穴形状を所望のとおりコントロールすることが可能となる。
【００７８】
実施形態２
本実施形態は図７に示されており、実施形態１におけるホーニング砥石１０、１０、…の切込み拡張動作における位置波形が改変されたものである。
【００７９】
すなわち、本実施形態においては、ホーニングツール１の昇降ストローク動作における位置波形が三角波形（図７における破線の波形）とされるとともに、ホーニング砥石１０、１０、…の切込み拡張動作における位置波形がこの三角波形に同期同調する直線波形（図７における実線の波形）となるように構成されている。
【００８０】
具体的には、ホーニングツール１の昇降ストローク速度が上昇ストロークおよび下降ストロークにおいて所定の等速度とされ、これに対して、ホーニング砥石１０、１０、…の切込み拡張量がホーニンツール１の昇降（往復）動作１ストローク当たり一定の定量拡張とされるとともに、その切込み拡張速度が所定の等速度に制御されるように構成されている。
その他の構成および作用は実施形態１と同様である。
【００８１】
なお、上述した実施形態１および２はあくまでも本発明の好適な実施態様を示すものであって、本発明はこれに限定されることなく、その範囲内で種々の設計変更が可能である。一例として以下のような改変が可能である。
【００８２】
ホーニングツール１の昇降ストローク動作における位置波形とホーニング砥石１０、１０、…の切込み拡張動作における位置波形は、ホーニング砥石１０、１０、…に掛かる加工負荷が平均化されるように、ホーニング砥石１０、１０、…の切込み拡張動作が、ホーニングツール１の上記往復動作に同期同調するものである限り、図示の実施形態（図５および図６）のものに限定されず、種々の波形が採用可能であり、例えば、ホーニングツール１の昇降ストローク動作における位置波形が変調波形であってもよい。
【図面の簡単な説明】
【００８３】
【図１】本発明に係る実施形態１であるホーニング盤の概略構成を一部断面で示す正面図である。
【図２】同ホーニング盤の砥石切込み部を拡大して示す正面断面図である。
【図３】同ホーニング盤の装置制御部の構成を示すブロック図である。
【図４】同装置制御部におけるサーボ制御系の構成を示すブロック図である。
【図５】同装置制御部の制御におけるホーニング砥石の切込み拡張動作における位置波形とホーニングツールの昇降ストローク動作における位置波形の同期同調についての定義を説明するための線図である。
【図６】同ホーニング盤におけるホーニングツールの昇降ストローク動作とホーニング砥石の切込み拡張動作との関係を示す線図である。
【図７】本発明に係る実施形態３であるホーニング盤におけるホーニングツールの昇降ストローク動作とホーニング砥石の切込み拡張動作との関係を示す線図である。
【図８】従来のホーニング盤におけるホーニングツールの昇降ストローク動作とホーニング砥石の切込み拡張動作との関係を示す線図である。
【符号の説明】
【００８４】
Ｗ                    ワーク
Ｗａ                  ワークの内周面
１                    ホーニングツール
２                    回転主軸
３                    主軸回転駆動部（主軸回転手段）
４                    主軸往復駆動部（主軸往復手段）
５                    砥石切込み部（砥石切込み手段）
６                    装置制御部（制御手段）
１０                  ホーニング砥石
１６                  駆動モータ
１９                  送りネジ機構
２０                  主軸往復駆動用サーボモータ（駆動モータ、駆動源）
３０                  砥石切込み駆動部（切込み駆動手段）
３７                  砥石切り込み用サーボモータ（駆動モータ、駆動源）
６１                  主軸回転制御部
６２                  砥石切込み制御部（切込み制御手段）
６３                  位置検出センサ
６４                  位置検出センサ
７３                  位置検出センサ
【図１】
2010064168.tif 000003
【図２】
2010064168.tif 000004
【図３】
2010064168.tif 000005
【図４】
2010064168.tif 000006
【図５】
2010064168.tif 000007
【図６】
2010064168.tif 000008
【図７】
2010064168.tif 000009
【図８】
2010064168.tif 000010